(57)【要約】【課題】フィルターのメンテナンスの際、フィルターで捕集した塵埃が室内側へこぼれ落ちることなく作業を行うことができる換気装置を提供する。【解決手段】本換気装置は、側面に吸込口と吐出口とを備えた装置本体内に、電動送風機、フィルターユニットを設け、このフィルターユニットは、装置本体下面より着脱自在にこの装置本体内の下部に配置され、かつ、水平に配置され下面側を吸込面としたフィルターと、このフィルター下方に設けられフィルターから落下する塵埃を受ける受皿と、フィルターと受皿との間に形成される空間の外周に設けられた空気吸込口とを備える。【選択図】  図１
2010145073.tif 000002
【特許請求の範囲】
【請求項１】
側面に吸込口と吐出口とを備えた装置本体内に、電動送風機を設けて給気風路を形成し、この給気風路中に空気中の塵埃等を捕集するフィルターユニットを設けた換気装置において、
前記フィルターユニットは、前記装置本体下面より着脱自在にこの装置本体内の下部に配置され、かつ、水平に配置され下面側を吸込面としたフィルターと、このフィルター下方に設けられフィルターから落下する塵埃を受ける受皿と、前記フィルターと前記受皿との間に形成される空間の外周に設けられた空気吸込口とを備えることを特徴とする換気装置。
【請求項２】
前記フィルターユニットは、前記空気吸込口に開閉可能な遮蔽板が設けられることを特徴とする請求項１に記載の換気装置。
【発明の詳細な説明】
【技術分野】
【０００１】
本発明は換気装置に係り、特にフィルター構造を改良した換気装置に関する。
【背景技術】
【０００２】
一般に室内の換気に用いられる換気装置には、塵埃を除去するためのフィルターが設けられる。
【０００３】
そして、このフィルターは清掃等のために、装置本体に脱着自在に取付けられ、装置本体の下面開口部からフィルターが挿入される構造のものがあった。
【０００４】
従来の構成では、フィルターの清掃のために装置本体からフィルターを引き出す際、フィルターで捕集した塵埃が室内側へこぼれ落ちることがあった。
【０００５】
また、その解決策として、図８に示す特許文献１に提案された換気装置３０に設けるフィルターユニット３１や、図９に示すフィルターユニット３２を設け、これらのフィルターユニット３２をフィルター３３と、その下方に設けられフィルター３３から落下する塵埃を受ける受皿３４とから構成している。
【０００６】
しかしながら、これら従来のフィルターユニット構造では、フィルター清掃のために装置本体からフィルターユニットを引き出す際、受皿に受けた塵埃はこぼれ難いが、フィルターユニットを外す際の振動によりフィルター表面に付着している捕集した塵埃が室内側へこぼれ落ちる問題があった。
【特許文献１】特開２００６−２４２４９３号公報
【発明の開示】
【発明が解決しようとする課題】
【０００７】
本発明は上述した事情を考慮してなされたもので、フィルターのメンテナンスの際、フィルターで捕集した塵埃が室内側へこぼれ落ちることなく作業を行うことができる換気装置を提供することを目的とする。
【課題を解決するための手段】
【０００８】
上述した目的を達成するため、本発明に係る換気装置は、側面に吸込口と吐出口とを備えた装置本体内に、電動送風機を設けて給気風路を形成し、この給気風路中に外気中の塵埃を捕集するフィルターユニットを設けた換気装置において、前記フィルターユニットは、前記装置本体下面より着脱自在にこの装置本体内の下部に配置され、かつ、水平に配置され下面側を吸込面としたフィルターと、このフィルター下方に設けられフィルターから落下する塵埃を受ける受皿と、前記フィルターと前記受皿との間に形成される空間の外周に設けられた空気吸込口とを備えることを特徴とする。
【発明の効果】
【０００９】
本発明に係る換気装置によれば、フィルターのメンテナンスの際、フィルターで捕集した塵埃が室内側へこぼれ落ちることなく作業を行える換気装置を提供することができる。
【発明を実施するための最良の形態】
【００１０】
本発明の第１実施形態に係る換気装置について添付図面を参照して説明する。
【００１１】
図１は本発明の第１実施形態に係る換気装置の縦断面図であり、図２は本第１実施形態に係る換気装置の遮蔽板開状態を示す斜視図であり、図３は本第１実施形態に係る換気装置の遮蔽板閉状態を示す斜視図である。
【００１２】
図１〜図３に示すように、本発明の第１実施形態に係る換気装置１は、居室内の天井壁Ｗに設けられる開口から挿入されて天井裏内に納められるように設置されて使用される。
【００１３】
換気装置１は箱状の装置本体２を備え、装置本体２は側面２ａに１個以上の吸込口３と吐出口４とが設けられ、さらに、装置本体２内に、遠心型の電動送風機５を設けて給気風路６を形成し、この給気風路６中に空気中の塵埃を捕集するフィルターユニット７が配置される。
【００１４】
吸込口３には給気ダクト（図示省略）が接続され、この給気ダクトを介して室内と連通する。一方、吐出口４には吐出ダクト（図示省略）が接続され、この吐出ダクトを介して屋外と連通する。
【００１５】
給気風路６は装置本体２の側面２ａと、電動送風機５のケーシング５ａと、装置本体２の底部近傍に設けられ、矩形のユニット挿入口８ａおよびこの周囲から立ち上がるユニット挿入部側壁８ｂを備えたユニット保持枠８と、開口部８ｄを備えるユニット挿入部側壁８ｂに沿って立ち上がり、矩形ロ字状のフィルター支持枠７ｂによって、画定される。
【００１６】
フィルターユニット７は、装置本体２の下面に設けたユニット挿入口８ａから着脱自在に装置本体２内の中央下部に収納して、係止用ツマミ７ｉをひねることで配置固定される。また、フィルターユニット７は、フィルター支持枠７ｂ内に着脱自在に取付けられ、水平に配置され下面側を吸込面としたフィルター１０と、このフィルター１０下方に設けられ、このフィルター１０から落下する塵埃を受ける矩形平板状の受皿７ｃと、フィルター１０と受皿７ｃとの間に形成される空間の外周近傍に設けられるフィルター支持枠７ｂに形成された空気吸込口７ａを備える。
【００１７】
この空気吸込口７ａは、例えばスライド扉方式の遮蔽板７ｄによって適宜開閉される。
【００１８】
受皿７ｃの下面には、スライド扉方式の遮蔽板７ｄを適宜開閉し、スリット７ｆに沿って摺動する開閉用操作片７ｇが設けられ、さらに、フィルターユニット７の下面には着脱時に用いる把手７ｈが設けられる。
【００１９】
また、換気装置１の天井壁Ｗへの取り付けは、天井壁Ｗに固定された天井開口部化粧枠２１を用いて行い、取り付け後に天井開口部化粧枠２１に設けた取付開口２１ａを化粧蓋板２２で塞ぐ。
【００２０】
次に本換気装置１を用いた給気および塵埃捨て作業について説明する。
【００２１】
図２に示すように、遮蔽板７ｄにより空気吸込口７ａが閉じられない状態、すなわち空気吸込口７ａが開放状態で換気が行われる。
【００２２】
例えば、電動送風機５の回転により、給気ダクトを介して室内から吸込口３に吸込まれた含塵空気は、給気風路６、空気吸込口７ａを介してフィルター１０の下面からフィルター１０に達し、このフィルター１０で除塵され、電動送風機５、吐出口４および吐出ダクトを介して屋外に吹出される。
【００２３】
一方、このフィルター１０には除塵された塵埃は、フィルター１０に付着し、また、付着した塵埃の一部がフィルター１０の下方に設けた受皿７ｃに落下する。
【００２４】
換気装置１を長時間運転すると、フィルター１０に塵埃が溜まる。このため、フィルター１０に溜まった塵埃を除去するなどのメンテナンスが必要になる。
【００２５】
このメンテナンスは、次のような手順で行う。
【００２６】
はじめに、化粧蓋板２２を取外し、受皿７ｃを露出させる。
【００２７】
露出した受皿７ｃに設けた開閉用操作片７ｇをスリット７ｆに沿って摺動させ、遮蔽板７ｄにより空気吸込口７ａを閉じる。
【００２８】
しかる後、把手７ｈを用いて、フィルターユニット７を装置本体２から取出し、さらに、フィルター１０をフィルター支持枠７ｂから取外し、フィルター１０に付着した塵埃を除去する。
【００２９】
フィルター１０に付着した塵埃を除去した後、上記とは逆の作業でフィルターユニット７を装置本体２に取り付け、化粧蓋板２２を取付ける。
【００３０】
上記換気装置１を用いた給気過程において、フィルター１０に付着した塵埃は落下するが、フィルター１０の下方にフィルター１０に沿って水平に設けられ、フィルター支持枠７ｂにより大部分が囲われた受皿７ｃにより、塵埃は確実に受けられ、化粧蓋板２２あるいは室内に落下することがない。
【００３１】
また、フィルターユニット７の装置本体２から取出しの際、受皿７ｃはフィルター支持枠７ｂおよび遮蔽板７ｄに完全に囲われているので、受皿７ｃに溜まった塵埃が、受皿７ｃから室内に落下することがない。
【００３２】
なお、本第１実施形態において、空気吸込口を適宜開閉する遮蔽板を設ける例で説明したが、この遮蔽板は設けるのが好ましいが、必ずしも必要ではない。
【００３３】
また、本発明の第２実施形態に係る換気装置について説明する。
【００３４】
本第２実施形態は、第１実施形態が空気吸込口の開閉をスライド扉方式の遮蔽板によって行うのに対して、電動送風機の負圧作用に有無によって回動する回動扉方式の遮蔽板によって空気吸込口の開閉を行う。
【００３５】
図４は第２実施形態に係る換気装置の斜視図である。
【００３６】
例えば、図４に示すように、第２実施形態の換気装置に用いるフィルターユニット７（図１）は、空気吸込口７ａが、フィルター支持枠７ｂの対向する２側面の略全体に渡って設けられる。さらに、この空気吸込口７ａは、上部で軸支された回動扉方式の遮蔽板７ｄによって、適宜開閉される。
【００３７】
従って、本換気装置を用いた換気過程において、電動送風機の負圧により、遮蔽板７ｄは吸引されて、空気吸込口７ａは開放され、フィルター１０を通過する含塵空気はフィルター１０で除塵され、フィルター１０に付着した塵埃は落下するが、フィルター支持枠７ｂにより半分囲われた受皿７ｃにより、受けられ、化粧蓋板２２あるいは室内に落下することがない。
【００３８】
また、フィルターユニット７の装置本体２（図１）から取出しの際、電動送風機による負圧は遮蔽板７ｄに作用せず、遮蔽板７ｄはその荷重により垂直状態を保って、空気吸込口７ａを閉じる。このため、受皿７ｃはフィルター支持枠７ｂおよび遮蔽板７ｄに完全に囲われているので、受皿７ｃに溜まった塵埃が、受皿７ｃから室内に落下することがない。
【００３９】
なお、他の構成は図２に示すフィルターユニットと異ならないので、同一符号を付して説明は省略する。
【００４０】
また、本発明の第３実施形態に係る換気装置について説明する。
【００４１】
本第３実施形態は、第２実施形態が電動送風機の負圧作用に有無によって回動する回動扉方式の遮蔽板によって空気吸込口の開閉を行うのに対して、フィルターユニットの脱着によって、回動する回動扉方式の遮蔽板によって空気吸込口の開閉を行う。
【００４２】
図５は本発明の第３実施形態に係る換気装置の分解斜視図であり、図６は本換気装置の遮蔽板開状態を示す縦断面図であり、図７は本換気装置の遮蔽板閉状態を示す縦断面図である。
【００４３】
例えば、図５〜図７に示すように、本第３実施形態の換気装置に用い、装置本体２（図１）に着脱自在に収容されるフィルターユニット７は、空気吸込口７ａが、フィルター支持枠７ｂの対向する２側面の略全体に渡って設けられる。さらに、この空気吸込口７ａは、上部で軸支された回動扉方式の遮蔽板７ｄによって、適宜開閉される。
【００４４】
遮蔽板７ｄの開閉は、この遮蔽板７ｄに設けた開閉用作動片７ｅが、ユニット保持枠８に設けたガイド溝８ｃに挿入され、ユニット保持枠８の側面８ｃの内側に沿って摺動、案内されることで、遮蔽板７ｄが回動することで行われる。
【００４５】
例えば、フィルターユニット７を装置本体２に収容した換気時は、遮蔽板７ｄは、フィルター支持枠７ｂの上方で水平方向に押上げられた状態で保持されて、空気吸込口７ａは開放される。
【００４６】
フィルターユニット７が装置本体２から取外されたメンテナンス時は、遮蔽板７ｄは、垂直状態になり、遮蔽板７ｄにより、空気吸込口７ａは閉じられる。
【００４７】
従って、換気装置１を用いた換気過程において、遮蔽板７ｄは水平に保持されて、空気吸込口７ａは開放され、フィルター１０を通過する含塵空気はフィルター１０で除塵され、フィルター１０に付着した塵埃は落下するが、フィルター支持枠７ｂにより半分囲われた受皿７ｃにより、受けられ、化粧蓋板あるいは室内に落下することがない。
【００４８】
また、フィルターユニット７の装置本体２から取出しの際、遮蔽板７ｄは、垂直状態になり、遮蔽板７ｄにより、空気吸込口７ａは閉じられる。
【００４９】
このため、受皿７ｃはフィルター支持枠７ｂおよび遮蔽板７ｄに完全に囲われており、受皿７ｃに溜まった塵埃が、受皿７ｃから室内に落下することがない。
【図面の簡単な説明】
【００５０】
【図１】本発明の第１実施形態に係る換気装置の縦断面図。
【図２】本発明の第１実施形態に係る換気装置の遮蔽板開状態を示す斜視図。
【図３】本発明の第１実施形態に係る換気装置の遮蔽板閉状態を示す斜視図。
【図４】本発明の第２実施形態に係る換気装置の斜視図。
【図５】本発明の第３実施形態に係る換気装置の分解斜視図。
【図６】本発明の第３実施形態に係る換気装置の遮蔽板開状態を示す縦断面図。
【図７】本発明の第３実施形態に係る換気装置の遮蔽板閉状態を示す縦断面図。
【図８】従来のフィルターユニットの概念図。
【図９】従来のフィルターユニットの概念図。
【符号の説明】
【００５１】
１  換気装置
２  装置本体
２ａ  側面
３  吸込口
４  吐出口
５  電動送風機
５ａ  ケーシング
６  給気風路
７  フィルターユニット
７ａ  空気吸込口
７ｂ  フィルター支持枠
７ｃ  受皿
７ｄ  遮蔽板
７ｅ  開閉用作動片
７ｆ  スリット
７ｇ  開閉用操作片
７ｈ  把手
７ｉ  係止用ツマミ
８  ユニット保持枠
８ａ  ユニット挿入口
８ｂ  ユニット挿入部側壁
８ｃ  ガイド溝
８ｄ  開口部
１０  フィルター
２１  天井開口部化粧枠
２１ａ  取付開口
２２  化粧蓋板
Ｗ  天井壁
【図１】
2010145073.tif 000003
【図２】
2010145073.tif 000004
【図３】
2010145073.tif 000005
【図４】
2010145073.tif 000006
【図５】
2010145073.tif 000007
【図６】
2010145073.tif 000008
【図７】
2010145073.tif 000009
【図８】
2010145073.tif 000010
【図９】
2010145073.tif 000011